(57)【特許請求の範囲】
【請求項１】
パチンコ機の遊技盤１に装着されて中央制御装置の指令制御に基づいて図柄変動表示し得る図柄表示装置Ａにおいて、
前記図柄表示装置Ａは、
前記遊技盤１の遊技盤面１ａに取着されるベースフレーム２と、前向きに膨出するほぼ中空半球形状に形成されて前記ベースフレーム２中央の開口部前側に取着されたカバー体８と、このカバー体８の半球形状部分の中心部の後向き斜状に形成された円筒状の支持体９に回転可能に嵌挿支持されて該カバー体８の半球形状部分の背面内に組込まれた図柄表示用の第１回転体１０と、この第１回転体１０の後方隣接位置に同心状態で回転可能に嵌挿されて前記カバー体８の半球形状部分の背面内に組込まれた図柄表示用の第２回転体１５と、前記中央制御装置により制御されて前記第１回転体１０と前記第２回転体１５の個々の駆動・停止制御をなす駆動モータ６，７と、前記カバー体８の支持体９の前側内部に設置されて電気的に表示制御される図柄表示体２０とを備えており、
前記カバー体８では、その中心部の前記支持体９が、前記遊技盤１の垂立面に対する前下向き傾斜の回転軸ａに整合して斜状に形成される一方、半球形状部分の縦中央部の上方から中心にかけた位置に、前記第１回転体１０と前記第２回転体１５との上下２列分の図柄の変移・停止表示状態を前側から透視し得る上表示窓８ａと、前記図柄表示体２０の図柄の変動・停止表示状態を前側から透視し得る下表示窓８ｂとが形成されており、
前記第１回転体１０では、前記カバー体８の支持体９に対して前記回転軸ａを中心として回転可能に嵌挿支持されて前記駆動モータ７にギヤ手段１０ｂ，１２を介し連繋されて回転・停止されるように設定される一方、該第１回転体１０の前端側に、前記カバー体８の半球形状部分の背面に沿って回転変位し得る球曲形状の第１図柄表示面１１が形成され、この第１図柄表示面１１の球曲面外周方向に、前記カバー体８の上表示窓８ａの下面域を変移・停止表示し得る複数個１周列分の図柄１１ａが配置されており、
前記第２回転体１５では、前記カバー体８の半球形状部分の背面内に前記回転軸ａを中心として回転可能に嵌挿支持されて前記駆動モータ６にギヤ手段１５ｂ，１７を介し連繋されて回転・停止されるように設定される一方、該第２回転体１５の外回り部に、前記第１回転体１０の第１図柄表示面１１より後方の外周隣接位置で前記カバー体８の半球形状部分の背面に沿って回転変位し得る球曲形状の第２図柄表示面１６が形成され、この第２図柄表示面１６の球曲円外周方向に、前記カバー体８の上表示窓８ａの上面域を変移・停止表示し得る複数個１周列分の図柄１６ａが配置されており、
前記図柄表示体２０では、前記カバー体８の下表示窓８ｂの背面内に垂立状態で設置されて電気的な制御表示に従って複数の図柄２０ａを１コマ分ずつ点灯・変動表示し得るように設定されており、
前記カバー体８の上表示窓８ａと下表示窓８ｂにより前記第２回転体１５および前記第１回転体１０の各１コマ分ずつの図柄１６ａ，１１ａと、前記図柄表示体２０の図柄２０ａとが同一縦線上の上中下位置に整一状態で停止表示されて透視し得るように設定したことを特徴とするパチンコ機の図柄表示装置。
【発明の詳細な説明】
【０００１】
【産業上の利用分野】
この発明はパチンコ機の図柄表示装置に関する。
【０００２】
【従来の技術】
従来技術としては例えば特開昭６２−２２６７３号公報がある。この公報には遊技盤面と平行な回転軸を中心として回転する複数個の回転ドラムによって各図柄を変動表示するようにした図柄表示装置が開示されている。
【０００３】
【発明が解決しようとする課題】
本発明は図柄表示装置における図柄の表示態様に関して新規な趣向を加えることを課題とするものである。
【０００４】
【課題を解決するための手段】
請求項１の発明は、パチンコ機の遊技盤に装着されて中央制御装置の指令制御に基づいて図柄変動表示し得る図柄表示装置において、
前記図柄表示装置は、
前記遊技盤の遊技盤面に取着されるベースフレームと、前向きに膨出するほぼ中空半球形状に形成されて前記ベースフレーム中央の開口部前側に取着されたカバー体と、このカバー体の半球形状部分の中心部の後向き斜状に形成された円筒状の支持体に回転可能に嵌挿支持されて該カバー体の半球形状部分の背面内に組込まれた図柄表示用の第１回転体と、この第１回転体の後方隣接位置に同心状態で回転可能に嵌挿されて前記カバー体の半球形状部分の背面内に組込まれた図柄表示用の第２回転体と、前記中央制御装置により制御されて前記第１回転体と前記第２回転体の個々の駆動・停止制御をなす駆動モータと、前記カバー体の支持体の前側内部に設置されて電気的に表示制御される図柄表示体とを備えており、
前記カバー体では、その中心部の前記支持体が、前記遊技盤の垂立面に対する前下向き傾斜の回転軸に整合して斜状に形成される一方、半球形状部分の縦中央部の上方から中心にかけた位置に、前記第１回転体と前記第２回転体との上下２列分の図柄の変移・停止表示状態を前側から透視し得る上表示窓と、前記図柄表示体の図柄の変動・停止表示状態を前側から透視し得る下表示窓とが形成されており、
前記第１回転体では、前記カバー体の支持体に対して前記回転軸を中心として回転可能に嵌挿支持されて前記駆動モータにギヤ手段を介し連繋されて回転・停止されるように設定される一方、該第１回転体の前端側に、前記カバー体の半球形状部分の背面に沿って回転変位し得る球曲形状の第１図柄表示面が形成され、この第１図柄表示面の球曲面外周方向に、前記カバー体の上表示窓の下面域を変移・停止表示し得る複数個１周列分の図柄が配置されており、
前記第２回転体では、前記カバー体の半球形状部分の背面内に前記回転軸を中心として回転可能に嵌挿支持されて前記駆動モータにギヤ手段を介し連繋されて回転・停止されるように設定される一方、該第２回転体の外回り部に、前記第１回転体の第１図柄表示面より後方の外周隣接位置で前記カバー体の半球形状部分の背面に沿って回転変位し得る球曲形状の第２図柄表示面が形成され、この第２図柄表示面の球曲円外周方向に、前記カバー体の上表示窓の上面域を変移・停止表示し得る複数個１周列分の図柄が配置されており、
前記図柄表示体では、前記カバー体の下表示窓の背面内に垂立状態で設置されて電気的な制御表示に従って複数の図柄を１コマ分ずつ点灯・変動表示し得るように設定されており、
前記カバー体の上表示窓と下表示窓により前記第２回転体および前記第１回転体の各１コマ分ずつの図柄と、前記図柄表示体の図柄とが同一縦線上の上中下位置に整一状態で停止表示されて透視し得るように設定した構成を有する。
【０００７】
【作用】
請求項１の発明では、同軸状態で設置された第１回転体と第２回転体とが遊技盤面に対し斜交する回転軸を中心として回転すると、各回転体の外周面に形成された第１図柄表示面および第２図柄表示面が前記回転軸の半径方向へ離れた位置でそれぞれ回転軸の回りを旋回する。各回転体の回転が停止すると、各図柄表示面の各組の図柄のうちの各１個の図柄が前記回転軸の半径方向へ離れた状態で立体的に表示される。
【０００８】
また、請求項１の発明では、第１図柄表示面および第２図柄表示面の各図柄が球面状の立体曲面に沿って形成されて立体的に配列される。
【０００９】
さらに、請求項１の発明では、第１回転体の第１図柄表示面と、第２回転体の第２図柄表示面とによってそれぞれ表示された図柄と、図柄表示体によって電気的に点灯表示された図柄とが立体的に配列される。
【００１０】
【発明の効果】
請求項１の発明によれば、第１図柄表示面および第２図柄表示面の各組の図柄による組合わせ図柄を立体的に表示して図柄の表示に際して立体感を高めることができ、各図柄を斬新な趣向で表示して図柄の表示態様を特異化することができる。
【００１１】
また、各図柄表示面が占めるスペースを減縮することができる。
【００１２】
また、請求項１の発明によれば、第１図柄表示面および第２図柄表示面の各図柄を遊技盤の正面から見易くして各図柄の特異感を高めることができるとともに、第１図柄表示面および第２図柄表示面の各図柄が球面に沿って形成されかつ各表示図柄が球面に沿って配列されるので、表示図柄の立体感を強調することができる。
【００１３】
さらに、請求項１の発明によれば、第１回転体および第２回転体による機械的手段で表示される図柄と、図柄表示体による電気的手段で点灯表示される図柄とが組合わされた組合わせ図柄を立体的に表示することができ、図柄の表示態様をさらに特異化することができる。
【００１４】
【実施例】
次に、本発明の第１実施例を図１、図２にしたがって説明する。パチンコ機の遊技盤１に加工形成された開口部（図１および図３参照）に合わせて装着された図柄表示装置Ａにおいて、遊技盤面１ａに固定されて開口部内に収容されるベースフレーム２の上端には左右１対の球受口４が開設され、ベースフレーム２の下端には球受口４に落入したパチンコ球を下方へ転落させる球落し口５が開設されている。
【００１５】
ベースフレーム２の後端には中央制御装置の指令によって回転制御される上駆動モータ（ステッピングモータ）６および下駆動モータ（ステッピングモータ）７が取付けられ、ベースフレーム２の中央部に形成された窓口部（図２および図３参照）に合わせて、前方へ突出したほぼ中空半球形状のカバー板８の周縁部が固定されている。
【００１６】
カバー板８の半球形状の縦中央部、つまり上下縦方向の中央部には透明乃至半透明で内部の透視が可能な上表示窓８ａが球面に沿って形成されるとともに、カバー板８の前端の頂部には上表示窓８ａの前下方に隣設され、透明乃至半透明で内部の透視が可能な下表示窓８ｂが形成されている。
【００１７】
カバー体８の下表示窓８ｂの窓縁には遊技盤面１ａの垂立面と斜交する前下り傾斜の回転軸１ａに整合して後上り状に傾斜して延出された円筒状の支持体９の前端縁が結合されている。
【００１８】
支持体９の回りには前下り状に傾斜した状態で遊技盤面１ａと斜交する回転軸ａを中心として回転制御されて図柄を変動表示する第１回転体１０が同心状態で嵌挿支持されてカバー板８の半球形状部の背面内に沿って回転可能に設置されている。
【００１９】
第１回転体１０の中心部には支持体９外周に嵌挿支持された円筒状の基部１０ａが形成され、この基部１０ａの後端外周には下駆動モータ７の出力軸７ａに固定されたピニオン１２と噛合ったギヤ部１０ｂが形成されている。
【００２０】
第１回転体１０は下駆動モータ７によって時計回りに回転駆動される。
【００２１】
第１回転体１０の基部１０ａの前端外周部には球面をその軸心に垂直な面で輪切りにした球曲面形状を有し、外径が前端から後端へ漸増する第１図柄表示面１１が回転軸ａを中心軸とする先細の立体面状に形成されてカバー板８の半球形状部の背面に沿って回転し得るようになっている。
【００２２】
第１図柄表示面１１の球面外周方向にはそれぞれ球面状に湾曲した形状を有し、回転軸ａの回りに等間隔で配列された１組の、つまり複数個１周列分の図柄１１ａが列記（配置され）され、第１回転体１０の回転停止時にはこれら図柄１１ａのうちの１コマ分の１図柄１１ａがカバー板８の上表示窓８ａの下部を透して表示される。
【００２３】
第１回転体１０の基部１０ａの回りには第１回転体１０の回転軸ａを共通の回転中心（同心）として回転制御されて図柄を変動表示する第２回転体１５が第１回転体１０の後側隣接位置に嵌挿されてカバー体８の半球形状部の背面内に沿って回転可能に設置されている。
【００２４】
第２回転体１５には第１回転体１０の基部１０ａが同心状に挿入された円筒状の基部１５ａが形成され、この基部１５ａの後端外周には上駆動モータ６の出力軸６ａに固定されたピニオン１７と噛合ったギヤー部１５ｂが形成されている。
【００２５】
第２回転体１５は上駆動モータ６によって第１回転体１０と同方向へ回転駆動される。
【００２６】
第２回転体１５の基部１５ａの外回りに連続する外周部には第１図柄表示面１１の曲率半径と等しい曲率半径で湾曲した球面を輪切りにした球曲面形状で第１図柄表示面１１を軸方向へ延長した立体曲面形状を有し、第１図柄表示面１１と相似形で大きさが第１図柄表示面１１の大きさより拡大され、第１図柄表示面１１の後側に第１図柄表示面１１と無段状に連続した状態で設置された第２図柄表示面１６が回転軸ａを中心軸とする先細の立体面状に形成されて、カバー板８の半球形状部の背面に沿って回転し得るようになっている。
【００２７】
第２図柄表示面１６の球面外周方向にはそれぞれ球面状に湾曲した形状を有し、回転軸ａの回りに等間隔で配列された１組の、つまり複数個１周列分の図柄１６ａが列記（配置され）され、第２回転体１５の回転停止時にはこれら図柄１６ａのうちの１コマ分の図柄１６ａがカバー板８の上表示窓８ａの上部を通して表示される。
【００２８】
相似形状の両図柄表示面１１，１６は第１図柄表示面１１の最大外径と第２図柄表示面１６の最小外径とがほぼ等しく、第１図柄表示面１１の後端縁の形状と第２図柄表示面１６の前端縁の形状とがほぼ等しくなり、両図柄表示面１１，１６が無段状に連続した先細の半球面が形成されるように大きさの順に回転軸ａの方向へ配列されている。
【００２９】
カバー板８の下表示窓８ｂの後側で先頭の第１回転体１０の先端付近には表示体基板１９の前面に結合されて複数種の図柄２０ａを１コマずつ下表示窓８ｂを透して電気的に点灯表示および変動表示する図柄表示体（１６×１６ドットで２色発光のＬＥＤ）２０が不動状態で直立状に設置されている。
【００３０】
第１、第２の回転体１０，１５がそれぞれ回転を停止し、図柄表示体２０が図柄の変動表示を停止した状態では、図柄表示体２０の停止図柄２０ａと、第１図柄表示面１１の停止図柄１１ａと、第２図柄表示面１６の停止図柄１６ａとが前下方から後上方へ凸円弧状に湾曲した立体曲面に沿って１列に配列されて上下表示窓８ａ，８ｂを透して立体的に表示される。
【００３１】
続いて、上記した構成を有する実施例の作用と効果を説明する。
本例では遊技盤面１ａと斜交する回転軸ａを中心として個別に回転駆動される第１、第２回転体１０，１５を同軸状態で設置し、この各回転体１０，１５の外周面にはそれぞれ１組の図柄が列記された図柄表示面１１，１６を、この各図柄表示面１１，１６が前記回転軸方向および図柄表示面１１，１６の半径方向へ離れた位置でそれぞれ回転軸ａの回りを旋回するように球面を輪切りにした先細の立体曲面状で相似形にそれぞれ形成するとともに、各図柄表示面１１，１６を、この各図柄表示面１１，１６が無段状に連続して球面状の立体曲面が形成されるように前記回転軸方向へ配列し、第１回転体１０の先端付近には図柄２０ａを電気的に点灯表示する図柄表示体２０を不動状態で設置してある。
【００３２】
このため、各図柄表示面１１，１６の各組の図柄による組合わせ図柄を立体的に表示して図柄の表示に際して立体感を高めることができ、各図柄１１ａ，１６ａを斬新な趣向で表示して図柄１１ａ，１６ａの表示態様を特異化することができる。
【００３３】
また、各図柄表示面１１，１６が占めるスペースを減縮することができる。
【００３４】
さらに、各図柄表示面１１，１６の各図柄１１ａ，１６ａを遊技盤１の正面から見易くして各図柄１１ａ，１６ａの特異感を高めることができるとともに、各図柄表示面１１，１６の各図柄１１ａ，１６ａが球面に沿って形成されかつ各表示図柄が球面に沿って配列されるので、表示図柄の立体感を強調することができる。
【００３５】
また、機械的手段によって表示される図柄１１ａ，１６ａと、電気的手段によって点灯表示される図柄２０ａとが組合わされた組合わせ図柄を立体的に表示することができ、図柄の表示態様をさらに特異化することができる。すなわち図１，図２から理解されるように、遊技盤面１ａの垂立面と水平に直交する前側の透視位置において、図柄表示装置Ａに停止表示される夫々の図柄１１ａ，１６ａ，２０ａを観た場合、図柄表示体２０の図柄２０ａが最前下段位置に、第１回転体１０の図柄１１ａがやや後方中段位置に、第２回転体１５の図柄１６ａが後方上段位置に表示され、これら図柄が互いに球曲面に沿った状態で停止表示されている様子を夫々の表示窓８ａ，８ｂを介して立体的に透視することができる。
【００３６】
次に、図３に示す本発明の第２実施例について説明すると、本例では図柄表示装置Ａのフレーム２Ａの後端部には同軸状に設置された第１出力軸２３および第２出力軸２４を有する駆動モータ（同軸ステッピングモータ）２２が結合されている。
【００３７】
駆動モータ２２の第１出力軸２３に固定された第１結合部材２５には第１実施例の第１図柄表示面１１とほぼ同様に形成された第１図柄表示面１１Ａを有する第１回転体１０Ａの基端部が結合され、第１回転体１０Ａは第１出力軸２３によって回転駆動される。
【００３８】
駆動モータ２２の第２出力軸２４に固定された第２結合部材２６には第１実施例の第２図柄表示面１６とほぼ同様に形成された第２図柄表示面１６Ａを有する第２回転体１５Ａの基端部が結合され、第２回転体１５Ａは第２出力軸２４によって回転駆動される。
【００３９】
第１回転体１５Ａの内部にはこの第１回転体１５Ａに結合された被検出片２７が挿通される検出溝２８ａを有し、第１図柄表示面１６Ａの各図柄のうちの特定の図柄が表示窓８ａＡの位置へ旋回したときに出力信号を発信する第１定位置センサ２８が設置されている。
【００４０】
第２回転体１５Ａの内部にはこの第２回転体１５Ａに結合された被検出片２９が挿通される検出溝３０ａを有し、第２図柄表示面１６Ａの各図柄のうちの特定の図柄が表示窓の位置へ旋回したときに出力信号を発信する第２定位置センサ３０が設置されている。
【００４１】
第２実施例の作用と効果については第１実施例とほぼ同様であるため、その説明を省略する。
【００４２】
なお、第１、第２図柄表示面１１（１１Ａ），１６（１６Ａ）の形状を図４に示すように円錐面を輪切りにした立体面形状に形成したり、図５に示すように正多角錐面を輪切りにした立体面形状に形成してもよい。また、第１、第２図柄表示面１１（１１Ａ），１６（１６Ａ）の形状を異った立体面形状に形成してもよい。
【００４３】
また、両回転体１０（１０Ａ），１５（１５Ａ）の回転軸ａが水平状態で遊技盤面１ａと斜交するようにしたり、回転軸ａが遊技盤面１ａと直交するようにしてもよい。
【図面の簡単な説明】
【図１】本発明の第１実施例を示す図柄表示装置の正面図である。
【図２】同じく、側断面図である。
【図３】第２実施例の図柄表示装置の側断面図である。
【図４】図柄表示面の他例を示す要部の側面図である。
【図５】図柄表示面の他例を示す要部の正面図である。
【符号の説明】
１  遊技盤
１０，１０Ａ  第１回転体
１１，１１Ａ  第１図柄表示面
１１ａ  図柄
１５，１５Ａ  第２回転体
１６，１６Ａ  第２図柄表示面
２０  図柄表示体
ａ  回転軸
【図１】
0003959650.tif 000002
【図２】
0003959650.tif 000003
【図３】
0003959650.tif 000004
【図４】
0003959650.tif 000005
【図５】
0003959650.tif 000006